(57)【特許請求の範囲】
【請求項１】
挿入された導体物に当該挿入方向と交差する方向から接触するコンタクトを備えたコネクタにおいて、
コネクタ本体には、導体物が挿入・抜去される受入部と、この受入部から導体物の移動方向と交差する方向に延びる支持壁と、この支持壁の導体物挿入方向の奥に位置する収納部とが設けられていると共に、この収納部にコンタクトが配設されており、
上記コンタクトは、受入部側から順に、収納部における導体物挿入方向の手前から奥に向かって延びて手前部分が収納部に収まると共に奥部分が受入部に出てから収納部に向かって反転する接触部と、接触部の上記奥部分に連設されると共に中途部分が導体物挿入方向の手前に向かって湾曲し且つ支持壁との間に導体物移動方向に隙間を有する湾曲部と、コネクタ本体に固定された固定部とを備え、
上記受入部に上記導体物を挿入すると、上記導体物が上記接触部の奥部分に当たり、上記湾曲部が圧縮されることで上記奥部分が上記収納部に収まり、上記接触部のほぼ全体が上記収納部の上記受入部との境界面に位置して上記接触部が全面で導体物に接触し、上記導体物を上記受入部から抜去すると、上記接触部が導体物抜去方向に引きずられて上記手前部分が上記収納部の支持壁に当たり、ここを支点にして上記接触部の奥部分が上記受入部に向かって起き上がり、ほぼ点接触に近い状態で上記導体物に当たるように構成されている低挿入力・高抜去力コネクタ。
【請求項２】
請求項１記載の低挿入力・高抜去力コネクタにおいて、コネクタ本体が絶縁体よりなるハウジングであり、コンタクトが更に、固定部に連設され且つハウジングの外部へ導出された接続部を備えている低挿入力・高抜去力コネクタ。
【請求項３】
コネクタ本体が導体よりなる筒形部である請求項１記載の低挿入力・高抜去力コネクタ。
【請求項４】
支持壁に、コンタクトにおける接触部の手前部分を受け止める突起が設けられている請求項１ないし３のうちいずれか１項に記載の低挿入力・高抜去力コネクタ。
【発明の詳細な説明】
【０００１】
【発明の属する技術分野】
本発明は、挿入された導体物に当該挿入方向と交差する方向から接触するコンタクトを備えたコネクタの技術分野に属し、具体的にはプリント配線板、ＭＩＤ（表面に金属膜が蒸着された樹脂板）等に接続するカードエッジ型コネクタの技術分野、コネクタ同士で嵌合して接続する雄雌コネクタの技術分野、並びにピン、タブ又はポスト等の雄コネクタが嵌合する筒形部を有したソケット、リセプタクル等の雌コネクタの技術分野に属し、導体物の挿入力を小さくしながら抜去力を大きくするための対策に関する。
【０００２】
【従来の技術】
従来、ボード・ツー・ボードの接続を行う一対のコネクタとして、中央の凹陥部にコンタクトが配設された雌コネクタと、上記凹陥部に嵌合する凸部にコンタクトを備えた雄コネクタとを組み合わせたものが知られている。このような一対の雄雌コネクタを対象にして、例えば特開平９−２６６０３６号公報には、図１６に示すように、雌コネクタ（イ）における逆Ｕ字形のコンタクト（ロ）を、ある程度撓ませた状態でコンタクト先端（ハ）をハウジング（ニ）に係止させておくことで、コンタクト（ロ）の変位量を抑えて雄コネクタ（ホ）の雌コネクタ（イ）への挿入力を小さくすると共に、コンタクト（ロ）の座屈を防止して雄コネクタ（ホ）の雌コネクタ（イ）からの抜去力を大きくするようにした技術が開示されている。
【０００３】
【発明が解決しようとする課題】
この雌コネクタ（イ）において更に雄コネクタ（ホ）の抜去力を大きくするには、コンタクト（ロ）の復元力を大きくして接触力を高く設定することになるが、そうすれば雄コネクタ（ホ）の挿入に大きな力を要することになり、挿入時の取扱い性が悪くなる。さりとて、挿入を容易にするためにコンタクト（ロ）の復元力を控えめに設定すれば、雄コネクタ（ホ）が不用意に抜け落ちる事故が起こり、雌コネクタ（イ）の信頼性が低下する。
【０００４】
その場合、ロック機構を設けて、雄コネクタ（ホ）が雌コネクタ（イ）に挿入された状態で両コネクタ（イ）、（ホ）をロックするようにしてもよいが、ロック機構を設ける分だけ構造が複雑になり、コストが高くつき、コンパクト性を損なうことになる。
【０００５】
本発明の目的は、このような雄雌コネクタをはじめ、カードエッジ型のコネクタ、そして筒形部を有する雌コネクタ等を広く対象として低挿入力・高抜去力コネクタを提供することにある。すなわち、導体物の挿入時にはコンタクトが軽く押し下げられ、導体物の抜去（抜き去ること）時にはコンタクトが導体物を強く押圧するようにすることで、導体物の挿入に要する力を小さくしながら導体物の抜去に要する力を大きくして、導体物の挿入時の取扱い性向上と保持力の強化によるコネクタの信頼性向上を両立させ、これをロック機構等を設けることなく実現して、コネクタのコスト低減及びコンパクト化を達成するものである。
【０００６】
【課題を解決するための手段】
上記目的を達成するため、請求項１の低挿入力・高抜去力コネクタは、挿入された導体物に当該挿入方向と交差する方向から接触するコンタクトを備えたコネクタにおいて、コネクタ本体には、導体物が挿入・抜去される受入部と、この受入部から導体物の移動方向と交差する方向に延びる支持壁と、この支持壁の導体物挿入方向の奥に位置する収納部とが設けられていると共に、この収納部にコンタクトが配設されており、上記コンタクトは、受入部側から順に、収納部における導体物挿入方向の手前から奥に向かって延びて手前部分が収納部に収まると共に奥部分が受入部に出てから収納部に向かって反転する接触部と、接触部の上記奥部分に連設されると共に中途部分が導体物挿入方向の手前に向かって湾曲し且つ支持壁との間に導体物移動方向に隙間を有する湾曲部と、コネクタ本体に固定された固定部とを備え、上記受入部に上記導体物を挿入すると、上記導体物が上記接触部の奥部分に当たり、上記湾曲部が圧縮されることで上記奥部分が上記収納部に収まり、上記接触部のほぼ全体が上記収納部の上記受入部との境界面に位置して上記接触部が全面で導体物に接触し、上記導体物を上記受入部から抜去すると、上記接触部が導体物抜去方向に引きずられて上記手前部分が上記収納部の支持壁に当たり、ここを支点にして上記接触部の奥部分が上記受入部に向かって起き上がり、ほぼ点接触に近い状態で上記導体物に当たるように構成されている。ここで、導体物とは、一部又は全体が導体で形成された物品をいう。
【０００７】
このコネクタは、固定部を例えばプリント配線板、ＭＩＤ、柔軟性に富む樹脂等の薄板又は膜に導体を固定してなるフレキシブル・プリント配線板（以下、ＦＰＣという）等に電気的に接続することで使用される。そして、受入部に導体物を挿入すると、導体物が接触部の奥部分に当たり、接触部が導体物挿入方向で且つ受入部から離れる方向へ押圧される。その場合、湾曲部が圧縮されて湾曲部分中央の角度が減少するので、接触部の奥部分が収納部に収まり、接触部のほぼ全体が収納部の受入部との境界面に位置する。そのため、接触部が全面で導体物に接触することになり、導体物挿入時に導体物が接触部から受ける接触圧が適正に抑えられ、導体物の挿入に要する力が小さくなる。一方、導体物を受入部から抜去すると、接触部が導体物抜去方向に引きずられる。その場合、接触部の手前部分が収納部の支持壁に当たり、ここを支点にして接触部の奥部分が受入部に向かって起き上がり、ほぼ点接触に近い状態で導体物に当たって強く押圧するので、導体物の抜去に要する力が大きくなり、コネクタにおける導体物の保持力が高くなる。また、ロック機構等を設けるものではないので、コネクタのコストが低減され、コンパクト化が達成される。
【０００８】
請求項２の低挿入力・高抜去力コネクタは、請求項１記載の構成において、コネクタ本体が絶縁体よりなるハウジングであり、コンタクトが更に、固定部に連設され且つハウジングの外部へ導出された接続部を備えていることを特徴としている。
【０００９】
このコネクタはカードエッジ型コネクタ、及びコネクタ同士で嵌合して接続する雄雌コネクタ等として用いられるものであり、接続部を、例えばプリント配線板、ＭＩＤ、ＦＰＣ等にハンダ付けすることで使用される。そして、導体物の挿入・抜去時の作用は請求項１の場合と同様であるので、請求項１における作用の記載をそのまま引用する。
【００１０】
請求項３の低挿入力・高抜去力コネクタは、請求項１記載の構成において、コネクタ本体が導体よりなる筒形部である。
【００１１】
このコネクタはピン、タブ又はポスト等の雄コネクタが嵌合する筒形部を有したソケット、リセプタクル等の雌コネクタ等として用いられるものであり、例えばコネクタ本体のバレルにハーネスを圧着することで使用される。そして、導体物の挿入・抜去時の作用は請求項１の場合と同様であるので、請求項１における作用の記載をそのまま引用する。
【００１２】
請求項４の低挿入力・高抜去力コネクタは、請求項１ないし３のうちいずれか１項の構成において、支持壁に、コンタクトにおける接触部の手前部分を受け止める突起が設けられている。
【００１３】
このようにすれば、コネクタを受入部から抜去するときに、接触部の手前部分が突起に受け止められるから、接触部の奥部分のコネクタへの押圧力が強くなり、コネクタの抜去に要する力が更に大きくなり、コネクタにおける導体物の保持力が更に高くなる。
【００１４】
【発明の実施の形態】
以下、本発明の実施の形態を図面に基づいて説明する。図１は、本発明の低挿入力・高抜去力コネクタの第１実施形態に係るカードエッジ型のコネクタＣを示す。図２に示すように、このコネクタＣは、ＶＴＲのドラムヘッドＤに内蔵されたプリント配線板、ＭＩＤ等の板状の導体物ＰにＦＰＣ（Ｂ）を接続するために用いられる。ドラムヘッドＤの側壁からは導体物Ｐの舌片形の部分が突出しており、この導体物Ｐに上記コネクタＣが接続される。
【００１５】
図１において、１０はコネクタＣにおけるコネクタ本体としてのハウジングであって、このハウジング１０は絶縁体により正面視が矩形の厚板形に形成され、正面にドラムヘッドＤの導体物Ｐの周囲に凹陥形成された穴Ｈに嵌合するように凸部１１が形成されている。このハウジング１０には導体物Ｐが挿入・抜去される通路である受入部１２が形成されている。この受入部１２は、ハウジング１０の正面に導体物Ｐの幅及び高さにほぼ合う開口を有してハウジング１０を厚さ方向に貫通しており、導体物Ｐを正面側から挿入し、また正面側に抜去できるようになっている。以下、全ての実施形態において、導体物Ｐを挿入する方向を導体物挿入方向といい、導体物挿入方向の前方を奥、後方を手前という。また導体物Ｐを抜去する方向を導体物抜去方向といい、導体物挿入方向及び導体物抜去方向を併せて導体物移動方向という。
【００１６】
上記ハウジング１０には更に、受入部１２から導体物Ｐの移動方向と交差する方向に延びる支持壁１３と、この支持壁１３の導体物挿入方向の奥に位置して上記受入部１２に連通する収納部１４とが設けられている。この実施形態では、受入部１２を挟んで上下に対向して収納部１４が形成され、且つ上側でも下側でも複数の収納部１４がハウジング１０の幅方向に並列に形成されており、上側の収納部１４はハウジング１０の上壁に、下側の収納部１４はハウジング１０の下壁に開口している。そして、収納部１４にはそれぞれ、挿入された導体物Ｐに当該挿入方向と交差する方向から接触するコンタクト２０が配設されている。このコンタクト２０はリン青胴板で例示されるような導電性の帯状板を折曲げて形成されている。１５は収納部１４の導体物挿入方向の奥に形成された奥壁であるが、この奥壁１５を設けるか否かは任意的事項である。
【００１７】
図３及び図４に示すように、上記コンタクト２０は受入部側から順に、すなわち受入部１２から離れる方向に順に接触部２１と、湾曲部２２と、固定部２３と、接続部２４とを備え、これらが一連に形成されている。接触部２１は、収納部１４における導体物挿入方向の手前から奥に向かって延びて手前部分２１ａが収納部１４に収まると共に、奥部分２１ｂが受入部１２に出てから収納部１４に向かって反転しており、この奥部分２１ｂは奥壁１５との間に導体物移動方向に隙間ｔ1を有している。
【００１８】
上記湾曲部２２は、接触部２１の上記奥部分２１ｂに連設されると共に中途部分２２ａが手前に向かって湾曲し且つ収納部１４の支持壁１３との間で導体物移動方向に隙間ｔ2を有している。
【００１９】
上記固定部２３は、コンタクト２０の他の部分よりも幅が広く形成されており、コンタクト２０を収納部１４に圧入したときに支持壁１３に食い込むことでコンタクト２０をハウジング１０に固定する。上記接続部２４は、ハウジング１０の上壁又は下壁に開口する収納部１４から上方又は下方に導出されている。
【００２０】
上記コネクタＣの使用方法を説明する。図２に示すように、上記ＦＰＣ（Ｂ）の先端には窓Ｗが開口しており、この窓Ｗの上辺及び下辺には内側に向けて導体Ｔが露出されている。まず、コネクタＣのハウジング凸部１１をＦＰＣ（Ｂ）の窓Ｗに嵌合し、コネクタＣのコンタクト２０の接続部２４を導体Ｔにそれぞれ半田付け等で接続する。次いで、ＦＰＣ（Ｂ）の付いたコネクタＣをドラムヘッドＤに近づけて、受入部１２に導体物Ｐを挿入すると、接続が完了する。
【００２１】
ここで、図５（ａ）に示すように、受入部１２に導体物Ｐを挿入すると、導体物Ｐが接触部２１の奥部分２１ｂに当たり、接触部２１が導体物挿入方向で且つ受入部１２から離れる方向へ押圧される。その場合、図５（ｂ）から（ｃ）に示すように、湾曲部２２が圧縮されて湾曲部分中央の角度Ｇ（図４（ｂ）を参照）が減少するので、接触部２１の奥部分２１ｂが収納部１４に収まり、接触部２１のほぼ全体が収納部１４の受入部１２との境界面１４ａに位置する。そのため、接触部２１が全面で導体物Ｐに接触することになり、導体物挿入時に導体物Ｐが接触部２１から受ける接触圧が適正に抑えられ、導体物Ｐの挿入に要する力が小さくなる。一方、図６（ａ）に示すように、導体物Ｐを受入部１２から抜去すると、接触部２１が導体物抜去方向に引きずられる。その場合、図６（ｂ）から（ｃ）に示すように、接触部２１の手前部分２１ａが収納部１４の支持壁１３に当たり、ここを支点にして接触部２１の奥部分２１ｂが受入部１２に向かって起き上がり、ほぼ点接触に近い状態で導体物Ｐに当たって強く押圧するので、導体物Ｐの抜去に要する力が大きくなり、コネクタＣにおける導体物Ｐの保持力が高くなる。よって、導体物挿入時の取扱い性向上と導体物保持力の強化によるコネクタＣの信頼性向上を両立させることができる。また、ロック機構等を設けるものではないので、コネクタＣのコストが低減され、コンパクト化が達成される。さらに、コンタクト２０が導体物Ｐに対してほぼ直立しているので、コネクタＣの導体物挿入方向への長さが短くなり、導体物Ｐまわりがコンパクトになる。
【００２２】
この実施形態ではコンタクト接触部２１の手前部分２１ａの形状を細かく限定するものではないが、上記コンタクト２０を板材から打ち抜き、折曲げて成形するときには、図７に示すように、接触部２１の手前部分２１ａが導体物抜去方向に流れて尖るように加工方向を選択すれば、導体物Ｐを受入部１２から抜去するときに、この尖った接触部２１の手前部分２１ａが収納部１４の支持壁１３にしっかりと食いつくから、支点としての機能を十分に果たして接触部２１の奥部分２１ｂの導体物Ｐへの押圧力が強くなり、導体物Ｐの抜去に要する力が更に大きくなり、コネクタＣにおける導体物Ｐの保持力が更に高くなる。
【００２３】
さらに、図８に示すように、支持壁１３に、コンタクト２０における接触部２１の手前部分２１ａを受け止める突起１６を設けたときには、導体物Ｐを受入部１２から抜去するときに、接触部２１の手前部分２１ａが突起１６に受け止められるから、接触部２１の奥部分２１ｂの導体物Ｐへの押圧力が強くなり、導体物Ｐの抜去に要する力が更に大きくなり、コネクタＣにおける導体物Ｐの保持力が更に高くなる。
【００２４】
本発明は上記第１実施形態により限定されるものではない。上記実施形態ではハウジング１０の形状を特定したが、これはドラムヘッド等の相手側部材への取り付け勝手に応じて自在に変更が許容されるところである。また、受入部１２がハウジング１０を貫通したが、受入部の奥側を袋状にしてもよい。さらに収納部１４をハウジング１０の上壁又は下壁に開口させたが、これも袋状にしてよい。また、コンタクト２０の固定部２３は幅広に形成したが、コンタクトをハウジングに固定する構造であれば他の構造であってもよい。さらに、上記実施形態では、受入部１２を挟んで上下に対向して収納部１４を形成してコンタクト２０を配設し、且つ収納部１４及びコンタクト２０を上側でも下側でも複数並列に設けたが、収納部及びコンタクトは１個であってもよく、また複数の場合、配列は任意である。また、上記実施形態ではＶＴＲのドラムヘッドＤの導体物Ｐを挿入・抜去するコネクタＣを例示したが、他の機器の導体物Ｐを挿入・抜去するコネクタであってもよい。さらに、コネクタの接続部に接続する対象はＦＰＣに限定されるものではなく、ハーネスその他の電気部品であってもよい。
【００２５】
図９は、本発明の低挿入力・高抜去力コネクタの第２実施形態に係る雄コネクタＣを示す。この雄コネクタＣは、コネクタ同士で嵌合して接続する雄雌コネクタのうちの一方である。従って、この実施形態では導体物Ｐは相手の雌コネクタである。そして、雄コネクタＣをプリント配線板Ｂに実装し、導体物Ｐをプリント配線板Ｄに実装して、雄コネクタＣを導体物Ｐに嵌合することでボード・ツー・ボードの接続を行うようにしている。
【００２６】
図９において、１１０は雄コネクタＣにおけるコネクタ本体としてのハウジングであって、このハウジング１１０は絶縁体により長さ方向（図９の紙面に垂直な方向）の断面形状が、相手のプリント配線板Ｄに向かって凸形になるよう形成されており、導体物Ｐの央部に凹陥形成された凹陥部に嵌合できるようになっている。なお、ハウジング１１０の長さは並設されるコンタクトの本数に応じて任意に決められる。このハウジング１１０には導体物Ｐが挿入・抜去される凹陥部である受入部１１２が形成されている。この受入部１１２は、ハウジング１１０の高さ方向（図９の左右方向）の先端側において、幅方向（図９の上下方向）の両側壁をプリント配線板Ｂに垂直な平面にすることで形成されており、導体物Ｐをプリント配線板Ｂに向かって挿入し、またプリント配線板Ｂから離れる方向に抜去できるようになっている。
【００２７】
上記ハウジング１１０には、受入部１１２から導体物Ｐの移動方向と交差する方向に延びる支持壁１１３と、この支持壁１１３の導体物挿入方向の奥に位置して上記受入部１１２に連通する収納部１１４とが設けられている。この実施形態では、受入部１１２及び収納部１１４が上下に対向して形成されている。そして、収納部１１４にはそれぞれコンタクト１２０が配設されている。このコンタクト１２０はリン青胴板で例示されるような導電性の帯状板を折曲げて形成されている。
【００２８】
図１０に示すように、上記コンタクト１２０は受入部側から順に、すなわち受入部１１２から離れる方向に順に接触部１２１と、湾曲部１２２と、固定部１２３と、接続部１２４とを備え、これらが一連に形成されている。接触部１２１は、収納部１１４における導体物挿入方向の手前から奥に向かって延びて手前部分１２１ａが収納部１１４に収まると共に、奥部分１２１ｂが受入部１１２に出てから収納部１１４に向かって反転している。
【００２９】
上記湾曲部１２２は、接触部１２１の上記奥部分１２１ｂに連設されると共に中途部分１２２ａが手前に向かって湾曲し且つ収納部１１４の支持壁１１３との間で導体物移動方向に隙間ｔを有している。
【００３０】
上記固定部１２３は、圧入、溶着等によりハウジング１１０に固定されている。上記接続部１２４は、ハウジング１１０の外部に導出されてプリント配線板Ｂに半田付け等できるようになっている。
【００３１】
この雄コネクタＣに導体物Ｐを嵌合すると、導体物Ｐの周壁がその内側に装着したコンタクトｐと共に雄コネクタＣの受入部１１２に挿入される。そして、導体物Ｐの周壁が接触部１２１の奥部分１２１ｂに当たり、接触部１２１が導体物挿入方向で且つ受入部１１２から離れる方向へ押圧される。その場合、湾曲部１２２が圧縮されて湾曲部分中央の角度Ｇが減少するので、接触部１２１の奥部分１２１ｂが収納部１１４に収まり、接触部１２１のほぼ全体が収納部１１４の受入部１１２との境界面１１４ａに位置する。そのため、接触部１２１が全面で導体物Ｐに接触することになり、導体物挿入時に導体物Ｐが接触部１２１から受ける接触圧が適正に抑えられ、導体物Ｐの挿入に要する力が小さくなる。一方、導体物Ｐを受入部１１２から抜去すると、接触部１２１が導体物抜去方向に引きずられる。その場合、接触部１２１の手前部分１２１ａが収納部１１４の支持壁１１３に当たり、ここを支点にして接触部１２１の奥部分１２１ｂが受入部１１２に向かって起き上がり、ほぼ点接触に近い状態で導体物Ｐに当たって強く押圧するので、導体物Ｐの抜去に要する力が大きくなり、雄コネクタＣにおける導体物Ｐの保持力が高くなる。よって、導体物挿入時の取扱い性向上と導体物保持力の強化による雄コネクタＣの信頼性向上を両立させることができる。また、ロック機構等を設けるものではないので、雄コネクタＣのコストが低減され、コンパクト化が達成される。
【００３２】
この第２実施形態においても第１実施形態で説明したように、接触部１２１の手前部分１２１ａが導体物抜去方向に流れて尖るように加工方向を選択したときには、導体物Ｐを受入部１１２から抜去するときに、この尖った接触部１２１の手前部分１２１ａが収納部１１４の支持壁１１３にしっかりと食いつくから、支点としての機能を十分に果たして接触部１２１の奥部分１２１ｂの導体物Ｐへの押圧力が強くなり、導体物Ｐの抜去に要する力が更に大きくなり、雄コネクタＣにおける導体物Ｐの保持力が更に高くなる。
【００３３】
さらに、図１１に示すように、支持壁１１３に、コンタクト１２０における接触部１２１の手前部分１２１ａを受け止める突起１１６を設けたときには、導体物Ｐを受入部１１２から抜去するときに、接触部１２１の手前部分１２１ａが突起１１６に受け止められるから、接触部１２１の奥部分１２１ｂの導体物Ｐへの押圧力が強くなり、導体物Ｐの抜去に要する力が更に大きくなり、雄コネクタＣにおける導体物Ｐの保持力が更に高くなる。
【００３４】
本発明は上記第２実施形態により限定されるものではない。上記第２実施形態とは逆に雄コネクタＣを凹側の雌コネクタとし、組み合わせる導体物Ｐを凸側の雄コネクタとしてもよい。また、ハウジングの形状等を特定したが、コネクタ同士で嵌合して接続する雄雌コネクタであれば、形状を問わずに本発明は適用できる。また、上記第２実施形態では、上下に対向して収納部１１４を形成してコンタクト１２０を配設し、且つ収納部１１４及びコンタクト１２０を複数並列に設けたが、収納部及びコンタクトは１個であってもよく、また複数の場合、配列は任意である。さらに、上記第２実施形態ではボード・ツー・ボードの接続に使用する雄コネクタＣを例示したが、他の用途向けの雄雌コネクタであってもよい。
【００３５】
図１２は、本発明の低挿入力・高抜去力コネクタの第３実施形態を示す。このコネクタＣは、筒形部を有したソケット、リセプタクル等の雌コネクタである。従って、この実施形態では導体物Ｐはピン、タブ又はポスト等の雄コネクタである。コネクタＣ及び導体物Ｐには、それぞれハーネスが圧着等により接続されており、コネクタＣ及び導体物Ｐの嵌合によりハーネス同士が接続される。一般にコネクタＣ及び導体物Ｐはそれぞれ絶縁性のハウジングに収容され、このハウジングの嵌合により接続される。
【００３６】
図１２及び図１３において、２１０はコネクタＣにおけるコネクタ本体としての筒形部であって、導体で形成され、前端の開口から導体物Ｐが挿入される。また、筒形部２１０の後端には内側に折り曲げられることでハーネスＢ及び芯線Ｔを圧着するバレル２１１が形成されている。
【００３７】
この筒形部２１０の内部には導体物Ｐが挿入・抜去される受入部２１２が形成されている。この受入部２１２は、前端上部の開口から始まり、上壁に沿って後方に向かって延びた通路であり、導体物Ｐを後方に向かって挿入し、また前方に向かって抜去できるようになっている。
【００３８】
上記筒形部２１０には、受入部２１２から導体物Ｐの移動方向と交差する方向に延びる支持壁２１３と、この支持壁２１３の導体物挿入方向の奥に位置して上記受入部２１２に連通する収納部２１４とが設けられている。そして、収納部２１４にはコンタクト２２０が配設され、筒形部２１０に固定されている。このコンタクト２２０は例えば筒形部２１０と一連に成形され、例えば板材から展開形状で打ち抜き、その各所を曲げ加工することで筒形部２１０及びコンタクト２２０を成形する。２１５は収納部２１４の導体物挿入方向の奥に形成された奥壁であるが、この奥壁２１５を設けるか否かは任意的事項である。
【００３９】
図１４に示すように、上記コンタクト２２０は受入部側から順に、すなわち受入部２１２から離れる方向に順に接触部２２１と、湾曲部２２２と、固定部２２３を備え、これらが一連に形成されている。接触部２２１は、収納部２１４における導体物挿入方向の手前から奥に向かって延びて手前部分２２１ａが収納部２１４に収まると共に、奥部分２２１ｂが受入部２１２に出てから収納部２１４に向かって反転しており、この奥部分２２１ｂは奥壁２１５との間に導体物移動方向に隙間ｔ1を有している。
【００４０】
上記湾曲部２２２は、接触部２２１の上記奥部分２２１ｂに連設されると共に中途部分２２２ａが手前に向かって湾曲し且つ収納部２１４の支持壁２１３との間で導体物移動方向に隙間ｔ2を有している。上記固定部２２３は、筒形部２１０に一体的に固定されている。
【００４１】
このコネクタＣのバレル２１１にハーネスＢを圧着し、受入部２１２に導体物Ｐを挿入すると、導体物Ｐが接触部２２１の奥部分２２１ｂに当たり、接触部２２１が導体物挿入方向で且つ受入部２１２から離れる方向へ押圧される。その場合、湾曲部２２２が圧縮されて湾曲部分中央の角度Ｇが減少するので、接触部２２１の奥部分２２１ｂが収納部２１４に収まり、接触部２２１のほぼ全体が収納部２１４の受入部２１２との境界面２１４ａに位置する。そのため、接触部２２１が全面で導体物Ｐに接触することになり、導体物挿入時に導体物Ｐが接触部２２１から受ける接触圧が適正に抑えられ、導体物Ｐの挿入に要する力が小さくなる。一方、導体物Ｐを受入部２１２から抜去すると、接触部２２１が導体物抜去方向に引きずられる。その場合、接触部２２１の手前部分２２１ａが収納部２１４の支持壁２１３に当たり、ここを支点にして接触部２２１の奥部分２２１ｂが受入部２１２に向かって起き上がり、ほぼ点接触に近い状態で導体物Ｐに当たって強く押圧するので、導体物Ｐの抜去に要する力が大きくなり、コネクタＣにおける導体物Ｐの保持力が高くなる。よって、導体物挿入時の取扱い性向上と導体物保持力の強化によるコネクタＣの信頼性向上を両立させることができる。また、ロック機構等を設けるものではないので、コネクタＣのコストが低減され、コンパクト化が達成される。
【００４２】
この第３実施形態においても第１実施形態で説明したように、接触部２２１の手前部分２２１ａが導体物抜去方向に流れて尖るように加工方向を選択したときには、導体物Ｐを受入部２１２から抜去するときに、この尖った接触部２２１の手前部分２２１ａが収納部２１４の支持壁２１３にしっかりと食いつくから、支点としての機能を十分に果たして接触部２２１の奥部分２２１ｂの導体物Ｐへの押圧力が強くなり、導体物Ｐの抜去に要する力が更に大きくなり、コネクタＣにおける導体物Ｐの保持力が更に高くなる。
【００４３】
さらに、図１５に示すように、支持壁２１３に、コンタクト２２０における接触部２２１の手前部分２２１ａを受け止める突起２１６を設けたときには、導体物Ｐを受入部２１２から抜去するときに、接触部２２１の手前部分２２１ａが突起２１６に受け止められるから、接触部２２１の奥部分２２１ｂの導体物Ｐへの押圧力が強くなり、導体物Ｐの抜去に要する力が更に大きくなり、コネクタＣにおける導体物Ｐの保持力が更に高くなる。
【００４４】
本発明は上記第３実施形態により限定されるものではない。上記第２実施形態では筒形部２１０の上部に受入部２１２を形成したが、下部に形成してもよい。そのときにはコンタクトは筒形部の上壁に固定されることになる。なお、本発明は以上の各実施形態の特徴を種々組み合わせた実施形態を含むものである。
【００４５】
【発明の効果】
以上説明したように、請求項１の低挿入力・高抜去力コネクタは、導体物の挿入時にはコンタクトが軽く押し下げられ、導体物の抜去時にはコンタクトが導体物を強く押圧するので、導体物の挿入に要する力を小さくしながら導体物の抜去に要する力を大きくして、コネクタにおける導体物の挿入時の取扱い性向上と保持力の強化によるコネクタの信頼性向上を両立させることができる。しかも、この効果をロック機構等を設けることなく実現したから、コネクタのコスト低減及びコンパクト化を図ることができる。
【００４６】
請求項２の低挿入力・高抜去力コネクタは、カードエッジ型コネクタ、及びコネクタ同士で嵌合して接続する雄雌コネクタ等に適用して請求項１の効果を得るのに最適である。
【００４７】
請求項３の低挿入力・高抜去力コネクタは、ピン、タブ又はポスト等の雄コネクタが嵌合する筒形部を有したソケット、リセプタクル等の雌コネクタ等に適用して請求項１の効果を得るのに最適である。
【００４８】
請求項４のようにすれば、コネクタにおける導体物の保持力を更に高くすることができ、コネクタの信頼性を更に向上することができる。
【図面の簡単な説明】
【図１】本発明の第１実施形態に係るカードエッジ型のコネクタを示し、（ａ）は導体物を挿入する側からみた正面図、（ｂ）は底面図である。
【図２】上記コネクタと、これが取り付けられるビデオデッキのドラムヘッド及びＦＰＣを縮小して示す斜視図である。
【図３】図１（ａ）のＡ−Ａ線における断面を拡大して示す図である。
【図４】上記コネクタのコンタクトを示し、（ａ）は導体物を挿入する側からみた正面図、（ｂ）は側面図である。
【図５】上記コネクタで導体物を挿入する時のコンタクトの変形を順に説明する図である。
【図６】上記コネクタで導体物を抜去する時のコンタクトの変形を順に説明する図である。
【図７】上記コネクタのコンタクトの接触部の手前部分を拡大して示す図である。
【図８】第１実施形態の変形例における図６相当図である。
【図９】第２実施形態に係るコネクタに導体物を嵌合した状態で示す断面図である。
【図１０】図９の要部を、導体物を抜去した状態で示す拡大図である。
【図１１】第２実施形態の変形例を示す図１０相当図である。
【図１２】第３実施形態に係るコネクタを示す斜視図である。
【図１３】上記コネクタの拡大縦断面図である。
【図１４】図１３の要部を示す拡大図である。
【図１５】第３実施形態の変形例を示す図１１相当図である。
【図１６】従来例を示す断面図である。
【符号の説明】
Ｃ  カードエッジ型のコネクタ
１０  ハウジング
１２  受入部
１３  支持壁
１４  収納部
１４ａ  境界面
１６  突起
２０  コンタクト
２１  接触部
２１ａ  手前部分
２１ｂ  奥部分
２２  湾曲部
２２ａ  中途部分
２３  固定部
２４  接続部
Ｐ  導体物（プリント配線板）
Ｃ  雄コネクタ
１１０  ハウジング
１１２  受入部
１１３  支持壁
１１４  収納部
１１４ａ  境界面
１１６  突起
１２０  コンタクト
１２１  接触部
１２１ａ  手前部分
１２１ｂ  奥部分
１２２  湾曲部
１２２ａ  中途部分
１２３  固定部
１２４  接続部
Ｐ    導体物（雌コネクタ）
ｐ  コンタクト
Ｃ  雌コネクタ
２１０  筒形部
２１２  受入部
２１３  支持壁
２１４  収納部
２１４ａ  境界面
２１６  突起
２２０  コンタクト
２２１  接触部
２２１ａ  手前部分
２２１ｂ  奥部分
２２２  湾曲部
２２２ａ  中途部分
２２３  固定部
Ｐ    導体物（雄コネクタ）
【図１】
0004213296.tif 000002
【図２】
0004213296.tif 000003
【図３】
0004213296.tif 000004
【図４】
0004213296.tif 000005
【図５】
0004213296.tif 000006
【図６】
0004213296.tif 000007
【図７】
0004213296.tif 000008
【図８】
0004213296.tif 000009
【図９】
0004213296.tif 000010
【図１０】
0004213296.tif 000011
【図１１】
0004213296.tif 000012
【図１２】
0004213296.tif 000013
【図１３】
0004213296.tif 000014
【図１４】
0004213296.tif 000015
【図１５】
0004213296.tif 000016
【図１６】
0004213296.tif 000017